(57)【要約】【課題】複数階のユニット式建物において好適なる断熱を実現することを目的とする。【解決手段】建物１０は、下階ユニット２０Ａと上階ユニット２０Ｂとが組み合わされることで二階建てとなっている。建物１０にて下階ユニット２０Ａの天井大梁と上階ユニット２０Ｂの床大梁とを含む範囲には階間部１６が形成されており、この階間部１６には、一階部分１４の居室空間Ｓ１と二階部分１５の居室空間Ｓ２とに連通する開口部１７が設けられている。階間部１６において、下階ユニット２０Ａの天井面材の上面側には、その天井面材に沿って階間天井断熱層３４が設けられ、上階ユニット２０Ｂの床面材の下面側には、その床面材に沿って階間床断熱層３５が設けられ、開口部１７の周りとなる開口周囲部１８には、階間天井断熱層３４と階間床断熱層３５とを繋ぐ繋ぎ断熱層３６が設けられている。【選択図】      図２
2020111943.tif 000002
【特許請求の範囲】
【請求項１】
複数の柱と前記柱に連結される天井大梁及び床大梁とを有して構成される建物ユニットを備え、複数の前記建物ユニットが組み合わされて複数階で構築されるユニット式の建物に適用され、建物全体を囲む外周部分に沿って当該建物を断熱する断熱構造であって、
上下に並ぶ前記建物ユニットのうち下階側の下階ユニットの天井大梁と上階側の上階ユニットの床大梁とを含む範囲となる階間部には、下階空間と上階空間とを連通する開口部が設けられており、
前記階間部において、前記下階ユニットの天井面材の上面側には、その天井面材に沿って天井断熱層が設けられ、前記上階ユニットの床面材の下面側には、その床面材に沿って床断熱層が設けられ、前記開口部の周りとなる開口周囲部には、前記天井断熱層と前記床断熱層とを繋ぐ繋ぎ断熱層が設けられている建物の断熱構造。
【請求項２】
前記下階ユニット側では、当該下階ユニットの前記天井大梁と前記上階ユニットの前記床大梁との間となる部分を通して、前記天井面材に沿う方向に前記天井断熱層が設けられており、
前記上階ユニット側では、当該上階ユニットの前記床大梁とその上方の前記床面材との間となる部分を通して、前記床面材に沿う方向に前記床断熱層が設けられている請求項１に記載の建物の断熱構造。
【請求項３】
前記天井断熱層は、前記下階ユニットの天井面材の上に敷設された天井断熱材を有し、その天井断熱材の余剰部分を、前記階間部における前記開口周囲部に沿って上下方向に延ばすことで、前記繋ぎ断熱層が構成されている請求項１又は請求項２に記載の建物の断熱構造。
【請求項４】
前記天井断熱層は、前記下階ユニットの天井面材の上に配設された天井断熱材を有し、
前記床断熱層は、前記上階ユニットの床面材の下に配設された床断熱材を有し、
前記天井断熱材及び前記床断熱材の一方は他方よりも変形が容易となるように構成されており、この一方の断熱材の余剰部分を、前記階間部における前記開口周囲部に沿って上下方向に延ばすことで、前記繋ぎ断熱層が構成されている請求項１又は請求項２に記載の建物の断熱構造。
【請求項５】
前記余剰部分によって前記繋ぎ断熱層を構成している断熱材は、当該断熱材にて前記上階ユニットの前記床大梁と前記下階ユニットの前記天井大梁との間を通過している部分が潰れた状態となるようにしてそれら床大梁及び天井大梁に当接していることを特徴とすると請求項３又は請求項４に記載の建物の断熱構造。
【請求項６】
前記建物の外壁部に外壁断熱層が設けられており、
前記床断熱層及び前記天井断熱層は、前記外壁断熱層よりも断熱性能が高くなっている請求項１乃至請求項５のいずれか１つに記載の建物の断熱構造。
【請求項７】
前記上階ユニットは、互いに対向する前記床大梁の間に架け渡された複数の床小梁と、前記床小梁に加えられた振動エネルギを吸収する制振ダンパとを有し、
前記制振ダンパは、前記床小梁に固定されるブラケットと、そのブラケットにより支持され前記床小梁と横並びの位置に配置される制振部材とを有しており、
前記床小梁には、その上面側に、前記床面材を支えかつ前記床断熱層の一部となる根太が設けられるとともに、下面側に前記制振ダンパが固定されている請求項１乃至請求項６のいずれか１つに記載の建物の断熱構造。
【発明の詳細な説明】
【技術分野】
【０００１】
本発明は、ユニット式の複数階建物における断熱構造に関する。
【背景技術】
【０００２】
住宅等の建物では、断熱構造として建物全体を囲む外周部分に沿って断熱材を設けた構造が知られている。具体的には、例えば２階建て建物において１階部分の床部と、２階部分の天井部と、１階及び２階部分の外壁とにそれぞれ断熱材を設けて、断熱材により建物全体を囲むようにした構成が知られている。なお、建物の断熱構造としては、床面材に沿って断熱材を設ける構成（床断熱構造）以外に、基礎の内周面に沿って断熱材を設ける構成（基礎断熱構造）が知られている。また、天井面材に沿って断熱材を設ける構成（天井断熱構造）以外に、屋根面材に沿って断熱材を設ける構成（屋根断熱構造）が知られている。
【０００３】
また、建物として、複数の建物ユニットが組み合わされて構築される複数階のユニット式建物が一般に知られており、そのユニット式建物に関する断熱構造として、例えば特許文献１に記載された技術が知られている。特許文献１には、上階空間と下階空間との間に階間部が設けられている複数階のユニット式建物において、階間部に下階部分の天井面材と上階部分の床面材のそれぞれに沿って断熱層が設けられるとともに、それら各断熱層が、第１断熱部と、その第１断熱部よりも断熱性能の低い第２断熱部とを有している構成が記載されている。例えば、それら各断熱層では、建物内側ほど断熱性能の低い断熱材が用いられる構成となっている。かかる技術では、天井部や床部の断熱層についてコスト低減を実現できるものとなっている。
【先行技術文献】
【特許文献】
【０００４】
【特許文献１】特開２０１３−１３３６４１号公報
【発明の概要】
【発明が解決しようとする課題】
【０００５】
しかしながら、上記特許文献１に記載の技術では、階間部において天井面材や床面材に沿って設けられる断熱層の断熱性能が、天井面材や床面材の面内方向で相違しているため、それら天井面材や床面材において局所的に低温部分ができることが懸念される。具体的には、ユニット式建物では、下階側の建物ユニットの天井大梁と上階側の建物ユニットの床大梁とを含む部分が階間部となっており、その階間部には中空の階間空間が形成されている。そのため、例えば冬場などの低温時において低温の外気が階間空間に流入すると、階間空間内の冷気により、建物の中央付近であっても局所的に低温部分が生じることが考えられる。
【０００６】
また、複数階建物では、一般に上階空間と下階空間との行き来を可能にする階段が設けられ、その階段は、階間部に形成された開口部に設けられる。この場合、開口部の周りが階間空間に囲まれていると、やはり局所的な低温部分になることが考えられる。
【０００７】
本発明は、上記事情に鑑みてなされたものであり、複数階のユニット式建物において好適なる断熱を実現することを目的とするものである。
【課題を解決するための手段】
【０００８】
以下、上記課題を解決するのに有効な手段等につき、必要に応じて作用、効果等を示しつつ説明する。
【０００９】
手段１．複数の柱（柱２１）と前記柱に連結される天井大梁（天井大梁２２）及び床大梁（床大梁２３）とを有して構成される建物ユニット（建物ユニット２０）を備え、複数の前記建物ユニットが組み合わされて複数階で構築されるユニット式の建物（建物１０）に適用され、建物全体を囲む外周部分に沿って当該建物を断熱する断熱構造であって、
上下に並ぶ前記建物ユニットのうち下階（一階部分１４）側の下階ユニット（下階ユニット２０Ａ）の天井大梁と上階（二階部分１５）側の上階ユニット（上階ユニット２０Ｂ）の床大梁とを含む範囲となる階間部（階間部１６）には、下階空間と上階空間とを連通する開口部（開口部１７）が設けられており、
前記階間部において、前記下階ユニットの天井面材（天井面材２７）の上面側には、その天井面材に沿って天井断熱層（階間天井断熱層３４）が設けられ、前記上階ユニットの床面材（床面材２８）の下面側には、その床面材に沿って床断熱層（階間床断熱層３５）が設けられ、前記開口部の周りとなる開口周囲部（開口周囲部１８）には、前記天井断熱層と前記床断熱層とを繋ぐ繋ぎ断熱層（繋ぎ断熱層３６）が設けられている建物の断熱構造。
【００１０】
建物ユニットは、各々に床大梁及び天井大梁を有する構成となっているため、複数の建物ユニットからなるユニット式の複数階建物では、下階ユニットと上階ユニットとの境界部を含む部分に、下階ユニットの天井大梁と上階ユニットの床大梁とを含む範囲で階間部が形成されている。この場合、冬場などの低温時には、階間部内が低温になることで、建物中央寄りの部分であっても局所的な冷えが生じることが懸念される。また、階間部に設けられた開口部にも冷えが伝わることが懸念される。
【００１１】
この点、本発明では、階間部において、下階ユニットの天井面材にその天井面材に沿って天井断熱層を設け、上階ユニットの床面材にその床面材に沿って床断熱層を設け、開口部の周りとなる開口周囲部に、天井断熱層と床断熱層とを繋ぐ繋ぎ断熱層を設ける構成としたため、階間部における局所的な冷えを抑制することが可能となる。その結果、複数階のユニット式建物において好適なる断熱を実現することができる。
【００１２】
手段２．前記下階ユニット側では、当該下階ユニットの前記天井大梁と前記上階ユニットの前記床大梁との間となる部分を通して、前記天井面材に沿う方向に前記天井断熱層が設けられており、
前記上階ユニット側では、当該上階ユニットの前記床大梁とその上方の前記床面材との間となる部分を通して、前記床面材に沿う方向に前記床断熱層が設けられている手段１に記載の建物の断熱構造。
【００１３】
上記構成では、下階ユニット側において、下階ユニットの天井大梁と上階ユニットの床大梁との間となる部分を通して、天井面材に沿う方向に天井断熱層が設けられていることにより、天井大梁付近における下階空間の冷えを抑制できる。また、上階ユニット側において、上階ユニットの床大梁と床面材との間となる部分を通して、床面材に沿う方向に床断熱層が設けられていることにより、床大梁付近における上階空間の冷えを抑制できる。
【００１４】
手段３．前記天井断熱層は、前記下階ユニットの天井面材の上に敷設された天井断熱材（天井断熱材４２）を有し、その天井断熱材の余剰部分（余剰部分４２ａ）を、前記階間部における前記開口周囲部に沿って上下方向に延ばすことで、前記繋ぎ断熱層が構成されている手段１又は手段２に記載の建物の断熱構造。
【００１５】
上記構成では、天井断熱層として用いられる天井断熱材の余剰部分により、開口周囲部の繋ぎ断熱層が構成されており、開口周囲部において適切なる断熱性能の付与と繋ぎ断熱層を設ける際の作業性向上とを実現することができる。
【００１６】
手段４．前記天井断熱層は、前記下階ユニットの天井面材の上に配設された天井断熱材（天井断熱材４２）を有し、
前記床断熱層は、前記上階ユニットの床面材の下に配設された床断熱材（床断熱材４６）を有し、
前記天井断熱材及び前記床断熱材の一方は他方よりも変形が容易となるように構成されており、この一方の断熱材の余剰部分（例えば余剰部分４２ａ）を、前記階間部における前記開口周囲部に沿って上下方向に延ばすことで、前記繋ぎ断熱層が構成されている手段１又は手段２に記載の建物の断熱構造。
【００１７】
上記構成では、天井断熱材及び床断熱材のうち比較的変形が容易な一方の余剰部分により、開口周囲部の繋ぎ断熱層が構成されており、開口周囲部において適切なる断熱性能の付与と繋ぎ断熱層を設ける際の作業性向上とを実現することができる。
【００１８】
手段５．前記余剰部分によって前記繋ぎ断熱層を構成している断熱材は、当該断熱材にて前記上階ユニットの前記床大梁と前記下階ユニットの前記天井大梁との間を通過している部分が潰れた状態となるようにしてそれら床大梁及び天井大梁に当接していることを特徴とする手段３又は手段４に記載の建物の断熱構造。
【００１９】
手段４や手段５に示したように床断熱材や天井断熱材の余剰部分を用いて繋ぎ断熱層を構成する場合には、断熱材の位置ずれの影響が繋ぎ断熱層の断熱性能に及ぶ可能性がある。ここで、本手段に示すように、断熱材にて上下階のユニットの大梁の間を通過する部分が潰れた状態（圧縮された状態）となるようして当該断熱材が両大梁に当接する構成とすれば、上下の大梁によって断熱材の位置ずれを抑えることができる。これにより、上記不都合の発生を好適に抑制できる。
【００２０】
手段６．前記建物の外壁部に外壁断熱層（外壁断熱層３１）が設けられており、
前記床断熱層及び前記天井断熱層は、前記外壁断熱層よりも断熱性能が高くなっている手段１乃至手段５のいずれか１つに記載の建物の断熱構造。
【００２１】
この場合、床断熱層及び天井断熱層が、外壁断熱層よりも断熱性能が高くなっている（換言すれば、例えば熱貫流率が低くなっている）ことにより、建物全体における断熱性能を好適に向上させることができる。
【００２２】
手段７．前記上階ユニットは、互いに対向する前記床大梁の間に架け渡された複数の床小梁（床小梁２６）と、前記床小梁に加えられた振動エネルギを吸収する制振ダンパ（制振ダンパ６１）とを有し、
前記制振ダンパは、前記床小梁に固定されるブラケット（ブラケット６２）と、そのブラケットにより支持され前記床小梁と横並びの位置に配置される制振部材（制振部材６３）とを有しており、
前記床小梁には、その上面側に、前記床面材を支えかつ前記床断熱層の一部となる根太（根太４５）が設けられるとともに、下面側に前記制振ダンパが固定されている手段１乃至手段６のいずれか１つに記載の建物の断熱構造。
【００２３】
上階空間から下階空間への音や振動の影響を無くすべく、上階ユニットの床小梁に制振ダンパを設ける技術が知られている。また、制振ダンパは、床面材の下方（すなわち階間部内）における納まりを考えると、ブラケットにより支持される制振部材（重り等）が、床小梁と横並びの位置に配置されることが望ましい。この場合、上記のとおり上階ユニットの床面材の下面側に床断熱層を設ける構成では、制振ダンパの制振部材と床断熱材とが互いに干渉することが考えられる。
【００２４】
この点、上記構成では、上階ユニットの床小梁において、その上面側に、床面材を支えかつ床断熱層の一部となる根太を設けるとともに、下面側に制振ダンパを固定したため、上階ユニットの床部の断熱性を高めつつ、床面材から制振ダンパを離して配置することで制振部材と床断熱材との干渉を抑制できる。
【図面の簡単な説明】
【００２５】
【図１】建物の概略を示す正面図。
【図２】建物の断熱層を示す正面図。
【図３】階間部における断熱構造を示す縦断面図。
【図４】開口部の周りにおける断熱構造を示す縦断面図。
【図５】制振ダンパの周りにおける床断熱構造を示す図。
【図６】ユニット式建物の概要を示す斜視図。
【図７】建物ユニットを示す斜視図。
【発明を実施するための形態】
【００２６】
以下に、本発明を具体化した一実施形態について図面を参照しつつ説明する。本実施形態の建物は、複数の建物ユニットが互いに組み合わされて構築される複数階のユニット式建物となっている。図６は、そのユニット式建物の概要を示す斜視図であり、図７は建物ユニットを示す斜視図である。
【００２７】
図６に示すように、住宅等の建物１０は、基礎１１の上に設けられた建物本体１２と、建物本体１２の上に設けられた屋根１３とを備えている。建物１０は二階建てとされ、一階部分１４と二階部分１５とを有している。建物本体１２は、複数の建物ユニット２０が互いに連結されることにより構成されている。一階部分１４及び二階部分１５では、建物ユニット２０が上下に並べて配置されており、以下の説明では、一階部分１４の建物ユニット２０を下階ユニット２０Ａ、二階部分１５の建物ユニット２０を上階ユニット２０Ｂとも称する。
【００２８】
建物ユニット２０は、図７に示すように、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなり、天井大梁２２及び床大梁２３は断面コ字状の溝形鋼よりなる。
【００２９】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。天井小梁２５によって天井面材２７が支持され、床小梁２６によって床面材２８が支持されている。
【００３０】
図１は、建物１０の概略を示す正面図であり、図１には、各建物ユニット２０の構造のうち天井大梁２２と床大梁２３とが示されている。
【００３１】
図１において、下階ユニット２０Ａの天井大梁２２と上階ユニット２０Ｂの床大梁２３とを含む範囲は階間部１６となっている。階間部１６は、一階部分１４の屋内空間である下階空間Ｓ１と、二階部分１５の屋内空間である上階空間Ｓ２との間に設けられている。階間部１６内の空間が後述する階間空間である。階間部１６には、下階空間Ｓ１と上階空間Ｓ２とを連通する開口部１７が設けられている。開口部１７は、例えば階段が設けられる階段開口、又は吹き抜けが設けられる吹き抜け開口である。なお、図中のＳＬは、一階部分１４及び二階部分１５の上下方向の境界を示すスタッキングラインである。
【００３２】
本実施形態の建物１０は、建物全体を囲む外周部分に沿って建物１０を断熱する断熱構造を有しており、図２には、建物外周部分における断熱層が示されている。本実施形態では、建物１０の最下階床部の断熱構造として、下階ユニット２０Ａの床面材２８の下面側を断熱する床下断熱構造が用いられ、建物１０の最上階天井部の断熱構造として、上階ユニット２０Ｂの天井面材２７の上面側を断熱する天井断熱構造が用いられている。
【００３３】
建物１０における断熱基本構造として、建物１０の各階の外壁部には外壁断熱層３１が設けられている。建物１０の一階部分１４の床部には、最下階床断熱層３２が設けられている。また、建物１０の二階部分１５（最上階）の天井部には、最上階天井断熱層３３が設けられている。これら各断熱層３１〜３３は、言うなれば建物外周を断熱する外周断熱層である。
【００３４】
その断熱基本構造は周知であるため、構成を簡単に説明すると、建物１０の外壁部には、外壁フレームと外壁面材とを有する外壁パネルが固定されており、外壁フレームの内側（すなわち屋内側）に、グラスウール等よりなる壁内断熱材が設けられている。この壁内断熱層により外壁断熱層３１が構成されている。また、建物１０の最下階床部には、下階ユニット２０Ａの床面材２８に沿って床下断熱材が設けられており、その床下断熱材により最下階床断熱層３２が構成されている。さらに、建物１０の最上階天井部には、上階ユニット２０Ｂの天井面材２７に沿って天井裏断熱材が設けられており、その天井裏断熱材により最上階天井断熱層３３が構成されている。
【００３５】
ところで、建物１０では、外壁付近から建物内側に向けて水平方向に床大梁２３や天井大梁２２が延びており、冬場などの低温時において低温の外気が階間空間Ｓ３に流入すると、階間空間Ｓ３内の冷気により、建物１０の中央付近であっても局所的に低温部分が生じることが考えられる。また、階段等を形成するための開口部１７の周りが階間空間Ｓ３に囲まれていると、やはり局所的な低温部分になることが考えられる。
【００３６】
そこで本実施形態では、上述した建物外周部の各断熱層３１〜３３（外周断熱層）に加え、建物１０の階間部１６における局所的な冷えを抑制すべく、階間部断熱層を設ける構成としている。この場合、図２に示すように、階間部１６に、階間天井断熱層３４と、階間床断熱層３５と、それら階間天井断熱層３４及び階間床断熱層３５を繋ぐ繋ぎ断熱層３６とを設ける構成としている。以下、図３を参照して階間部１６の基本構造及び断熱構造について詳しく説明する。図３は、階間部１６の縦断面図であり、図１のＡ−Ａ線断面図に相当する。
【００３７】
下階ユニット２０Ａにおいて、天井大梁２２及び天井小梁２５の下面には、天井下地材としての野縁４１を介して、石膏ボード等よりなる天井面材２７が固定されている。野縁４１は、天井大梁２２や天井小梁２５に沿って延びる長尺部材である。
【００３８】
また、上階ユニット２０Ｂにおいて、床大梁２３及び床小梁２６の上面には、床下地材としての根太４５を介して、床面材２８が固定されている。根太４５は、木製の角材よりなり、床大梁２３や床小梁２６に沿って延びる長尺部材である。床大梁２３の上面と床小梁２６の上面とは同じ高さ位置になるように構成されており、床大梁２３の上方及び床小梁２６の上方では、それぞれ根太４５に対して床面材２８が固定されている。なお、床面材２８は、例えばフローリング材等よりなる床仕上面材と、その下側に設けられた合板やパーティクルボード等よりなる床下地面材とを含む。
【００３９】
階間部１６内にて下階ユニット２０Ａの天井面材２７と上階ユニット２０Ｂの床面材２８との間に形成された空間（階間空間Ｓ３）には、天井面材２７の上面に沿って天井断熱材４２が設けられている。天井断熱材４２は、グラスウール等の繊維系断熱材よりなり、天井小梁２５を上から覆うようにして設けられている。また、天井断熱材４２は、下階ユニット２０Ａの天井大梁２２と上階ユニット２０Ｂの床大梁２３との間（梁間隙間）に押し潰された状態で入り込み、かつ水平方向に並ぶ各下階ユニット２０Ａにおいて隣り合う各天井大梁２２を上から覆うようにして設けられている。この場合、天井断熱材４２は、水平方向に並ぶ各下階ユニット２０Ａに跨がるようにして設けられている。なお、水平方向に並ぶ下階ユニット２０Ａの各天井大梁２２の間（天井大梁２２のウエブ間）には、天井断熱材４２の一部が膨張状態で入り込むとともに、梁間断熱材４３が充填されている。本実施形態では、天井断熱材４２により天井断熱層が形成されている。
【００４０】
また、階間空間Ｓ３には、床面材２８の下面に沿って床断熱材４６が設けられている。床断熱材４６は、板状に成形された断熱材よりなり、床面材２８の下面側において隣り合う根太４５の間となる位置にそれぞれ固定されている。床断熱材４６は、同一の建物ユニット２０における根太４５間だけでなく、水平方向に並ぶ各上階ユニット２０Ｂにおいて隣り合う各床大梁２３上の根太４５間にも設けられている。つまり、隣り合う各床大梁２３上の根太４５には、ユニット繋ぎ部分の床面材２８ａ（床繋ぎ材）が固定され、その床面材２８ａの下面にも、床面材２８の下面と同様に床断熱材４６が固定されている。要するに、床面材２８，２８ａの下面側では、根太４５と床断熱材４６とが交互に並べて設けられている。
【００４１】
この場合、木材よりなる根太４５は、金属製の床小梁２６に比べて断熱性能が高いため、床小梁２６と床面材２８，２８ａとの間に根太４５を介在させることにより、床小梁２６が冷えていてもその冷えの伝わりが遮断される。本実施形態では、床断熱材４６により床断熱層が形成されている。
【００４２】
なお、図示のとおり、階間空間Ｓ３には、床小梁２６を囲むように小梁断熱材４７が設けられており、階間空間Ｓ３の冷えが床小梁２６に伝わることを抑制している。それら小梁断熱材４７と同様に、階間空間Ｓ３に床大梁２３を囲むようにして床大梁断熱材を設けてもよい。
【００４３】
階間天井断熱層３４及び階間床断熱層３５を構成する断熱材については、上記外壁断熱層３１を構成する断熱材よりも熱貫流率が低くなっている。これにより、建物全体での断熱性能を好適に向上させることができる。なお、壁面と比較して床面は居住者が触れる機会が多い部分である。故に、各断熱層のうち階間床断熱層３５の熱貫流率を低くすることには、断熱性能を向上させたことによる効果を居住者が享受しやすくなるというメリットがある。
【００４４】
次に、図４を参照して、開口部１７の周りにおける断熱構造について説明する。図４は、開口部１７及びその周辺を示す階間部１６の縦断面図である。
【００４５】
開口部１７では、天井小梁２５及び床小梁２６に対して区画面材５１が固定されており、その区画面材５１により階間空間Ｓ３が水平方向に区画されている。階間空間Ｓ３において開口部１７の周りとなる開口周囲部１８には、階間天井断熱層３４と階間床断熱層３５とを繋ぐ上記繋ぎ断熱層３６が設けられている。なお、区画面材５１を天井大梁２２及び床大梁２３に固定する構成としてもよい。
【００４６】
本実施形態では、階間天井断熱層３４を構成する天井断熱材４２の一部を用いて繋ぎ断熱層３６が構成されている。具体的には、天井断熱材４２は、その横幅（図４における左右の大きさ）が開口部１７を除いた階間空間Ｓ３の横幅よりも大きくなるように形成されており、当該天井断熱材４２が所定の設置位置に配設された状態、すなわち外壁側（例えば外壁側の大梁）を基準として天井面材２７に沿うように配設（敷設）された状態では、当該天井断熱材４２における開口周囲部１８側の一部が余剰となるように構成されている。
【００４７】
天井断熱材４２については、上記余剰部分（以下、余剰部分４２ａという）が区画面材５１に沿って上下方向に延びるようにしておよそ９０度に折れ曲がるようにして配置されている。この状態では、余剰部分４２ａが区画面材５１とその取付対象（小梁２５，２６）とに重なっている。余剰部分４２ａの先端部分については、少し潰れた状態で床断熱材４６の下面に当接しており、階間床断熱層３５と繋ぎ断熱層３６との間に隙間が生じることが抑制されている。これにより、開口周囲部１８においては階間天井断熱層３４及び階間床断熱層３５が繋ぎ断熱層３６を介して隙間なく繋がっている。
【００４８】
余剰部分４２ａについては上述した折れ曲がり状態で上記取付対象（小梁２５，２６）及び床断熱材４６に重なってはいるものの、区画面材５１、小梁２５，２６、床断熱材４６に対して非固定、詳しくは自由端となっている。施工現場にて繋ぎ断熱層３６を形成する場合には、天井断熱材４２を余剰部分４２ａ側の端部がフロアライン等から上方に突出するようにして折れ曲がった状態とした後に、床面材２８及び床断熱材４６が組み合わされてなる床ユニットが当該端部に載るようにして上方から設置される。これにより、天井断熱材４２の端部が床断熱材４６によって押し潰され、階間床断熱層３５と繋ぎ断熱層３６とが繋がる。故に、作業者の手が届きにくい階間空間Ｓ３であっても階間床断熱層３５と繋ぎ断熱層３６とを容易に繋げることができる。
【００４９】
なお、天井断熱材４２については所定の設置位置に配設された状態では、下階ユニット２０Ａの天井大梁２２と上階ユニット２０Ｂの床大梁２３との間に圧縮された状態で入り込んでおり（大梁２２，２３によって挟まれており）、それら大梁２２，２３によって天井面材２７に沿う方向での位置ずれが抑制されている。これにより、余剰部分４２ａを非固定として作業性の低下を抑制した場合であっても、天井断熱材４２の位置ずれ等によって断熱が上手く行われなくなるといった不都合を生じにくくしている。
【００５０】
天井断熱材４２については、グラスウール等の繊維系断熱材よりなり、板状の床断熱材４６と比べて変形が容易となっている。相対的に変形困難な床断熱材４６ではなく相対的に変形容易な天井断熱材４２によって繋ぎ断熱層３６を構成することで、繋ぎ断熱層３６の形成作業を容易化している。
【００５１】
本実施形態に示す建物１０には、上階ユニット２０Ｂの床部に、床小梁２６に加えられた振動エネルギを吸収する制振ダンパ６１が設けられている。以下、図５を参照して、この制振ダンパ６１について説明する。図５（ａ）は、制振ダンパ６１を含む床部の構造を示す縦断面図であり、図５（ｂ）は、同構造の平面図である。
【００５２】
制振ダンパ６１は、床小梁２６に固定されたブラケット６２と、そのブラケット６２により支持され、床小梁２６と横並びの位置に配置される制振部材６３とを有している。ブラケット６２は、床小梁２６の下面に溶接等により固定され、床小梁２６の側方に突出している。制振部材６３は、例えば弾性変形可能なゴム等の材料よりなる弾性部材６３ａと、弾性部材６３ａを介してブラケット６２に取り付けられた重り部材６３ｂとを有している。制振部材６３は、床小梁２６を挟んで両側方においてブラケット６２上に載置された状態で固定されている。上階ユニット２０Ｂの床部において振動が生じた場合には、床小梁２６の揺れ（振動エネルギ）が制振ダンパ６１に吸収される。これにより、当該床部における衝撃音が低減される。
【００５３】
ここで、制振ダンパ６１は、床面材２８の下方（すなわち階間空間Ｓ３）における納まりを考えると、制振部材６３が床小梁２６と横並びの位置に配置されることが望ましい。この場合、上記のとおり上階ユニット２０Ｂの床面材２８の下面側に階間床断熱層３５を設ける構成では、制振部材６３と階間床断熱層３５を構成する床断熱材４６とが互いに干渉することが懸念される。本実施形態においては、そのような懸念を解消する工夫がなされていることを特徴の１つとしている。以下、当該工夫について説明する。
【００５４】
既に説明したように、床小梁２６には、その上面側に、床面材２８を支えかつ床断熱層の一部となる根太４５が配設されており、床面材２８はこの根太４５を介して床小梁２６に固定されている。床面材２８と床小梁２６との間に根太４５を介在させることにより、階間空間Ｓ３の冷えが床小梁２６を介して床面材２８に伝わることを抑制し、且つ床面材２８から制振ダンパ６１を離して配置することが可能となっている。つまり、階間床断熱層３５の断熱性能を高めつつ、制振機能を好適に発揮させることが可能となっている。
【００５５】
床断熱材４６は、隣り合うように根太４５の間を埋めるように配設された第１断熱材４６ａを有している。第１断熱材４６ａにて根太４５と対峙している端部であって上記制振部材６３の上方となる部分には根太４５側に開放された切欠きが形成されており、当該切欠きを埋めるようにして第２断熱材４６ｂが配設されている。つまり、床断熱材４６は、床面材２８に沿う方向に配列された第１断熱材４６ａ及び第２断熱材４６ｂが組み合わされてなる。
【００５６】
第２断熱材４６ｂは、制振部材６３の上方に位置しており、第１断熱材４６ａよりも薄くなっている。このような厚さの違いにより、床断熱材４６の下面にて制振部材６３の上方となる部分には上方に凹む凹部４６ｃが形成されている。凹部４６ｃには制振部材６３の上端部が挿入されており、凹部４６ｃの底部と制振部材６３との間には当該制振部材６３の動作を許容する隙間が確保されている。これにより、床断熱材４６と制振部材６３との干渉が回避されている。
【００５７】
以上、詳述した本実施形態の構成によれば、以下の優れた効果が得られる。
【００５８】
建物ユニット２０が上下に組み合わされてなる二階建ての建物１０では、冬場などの低温時には、階間部１６内が低温になることで、建物中央寄りの部分であっても局所的な冷えが生じることが懸念される。また、階間部１６に設けられた開口部１７にも冷えが伝わることが懸念される。この点、本実施形態においては、階間部１６において、下階ユニット２０Ａの天井面材２７にその天井面材２７に沿って階間天井断熱層３４を設け、上階ユニット２０Ｂの床面材２８にその床面材２８に沿って階間床断熱層３５を設け、開口部１７の周りとなる開口周囲部１８に、階間天井断熱層３４と階間床断熱層３５とを繋ぐ繋ぎ断熱層３６を設ける構成としたため、階間部１６（開口部１７を含む）における局所的な冷えを抑制することが可能となる。その結果、複数階のユニット式建物において好適なる断熱を実現することができる。
【００５９】
下階ユニット２０Ａ側では、当該下階ユニット２０Ａの天井大梁２２と上階ユニット２０Ｂの床大梁２３との間となる部分を通して、天井面材２７に沿う方向に階間天井断熱層３４が設けられており、上階ユニット２０Ｂ側では、当該上階ユニット２０Ｂの床大梁２３とその上方の床面材２８との間となる部分を通して、床面材２８に沿う方向に階間床断熱層３５が設けられている。この構成によれば、下階ユニット２０Ａの天井大梁２２付近における下階空間Ｓ１の冷えを抑制できる。また、上階ユニット２０Ｂの床大梁２３付近における上階空間Ｓ２の冷えを抑制できる。特に、天井と比べて床については居住者が触れる機会が多くなる。故に、床面材２８と天井大梁２２に階間床断熱層３５を設けて上記冷えが居住者に伝わりにくくすることにより、断熱性能の向上効果を好適に発揮させることができる。
【００６０】
階間天井断熱層３４を構成する天井断熱材４２の余剰部分４２ａを区画面材５１に沿って配設することで開口周囲部１８の繋ぎ断熱層３６が構成されている。このような構成とすることで、開口周囲部１８において適切なる断熱性能の付与と繋ぎ断熱層３６を設ける際の作業性向上とを実現することができる。
【００６１】
本発明は上記実施形態に限らず、例えば次のように実施されてもよい。因みに、以下の各構成を個別に上記実施形態に対して適用してもよく、一部又は全部を組み合わせて上記実施形態に対して適用してもよい。
【００６２】
・上記実施形態では、天井断熱材４２の余剰部分４２ａを区画面材５１に沿って配設することで開口周囲部１８にて繋ぎ断熱層３６を構築したが、繋ぎ断熱層３６の具体的構造については任意である。
【００６３】
例えば、天井断熱材４２や床断熱材４６とは別に設けられた断熱材を区画面材５１に沿って配設することで繋ぎ断熱層を構築してもよい。このような構成とする場合には、階間床断熱層３５と同様に、区画面材５１が天井小梁２５や床小梁２６に木製の下地材を介して固定される構成とし、それら下地材の間の隙間を埋めるようにして板状の断熱材を配設することで繋ぎ断熱層を構成してもよい。
【００６４】
また、上記実施形態に示した構成に代えて又は加えて床断熱材４６を天井断熱材４２と同様に変形容易とし（グラスウール等の繊維系断熱材で形成し）、当該床断熱材４６の余剰部分を区画面材５１に沿って配設することで繋ぎ断熱層を構築してもよい。このように変形容易な床断熱材４６の余剰部分によって繋ぎ断熱層を構築する場合には、余剰部分が自重によって天井断熱材４２側に垂れ下がるため、余剰部分を十分に確保してさえいれば天井断熱材４２の弾力等に依存することなく余剰部分が天井断熱材４２に当接した状態を維持しやすくなる。
【００６５】
なお、天井断熱材及び床断熱材の一方が他方よりも変形容易となるように形成されている場合には、この変形容易な一方に余剰部分を設け、当該余剰部分を区画面材５１に沿って配設する構成とすることが作業性の低下を抑制する上で好ましい。
【００６６】
また、区画面材５１を覆うことができるのであれば、断熱材の余剰部分をどのようにして配置するかは任意である。例えば、余剰部分を折り返すことで繋ぎ断熱層３６を形成してもよいし、余剰部分を丸めることで繋ぎ断熱層を形成してもよい。このような変更を行う場合であって、繋ぎ断熱層３６用の余剰部分を有する一方の断熱材と他方の断熱材との間に隙間が生じないように、当該余剰部分が他方の断熱材に押し付けられた状態となるようにしておくことが好ましい。
【００６７】
・上記実施形態では、天井断熱材４２にて下階ユニット２０Ａの天井大梁２２と上階ユニット２０Ｂの床大梁２３とによって挟まれている部分が潰れた状態（圧縮された状態）となるように構成とした。これは天井断熱材４２の位置ずれ等を抑え、上記余剰部分４２ａと区画面材５１や床断熱材４６との離れを抑制する上で好ましい。天井断熱材４２（余剰部分４２ａ）の位置ずれを抑えることで繋ぎ断熱層３６の断熱性能を安定して発揮させる上では、上記構成に代えて余剰部分４２ａを区画面材５１や床断熱材４６に固定する構成とすることも可能である。
【００６８】
・上記実施形態に示した階間床断熱層３５においては、床面材２８と床小梁２６との間に根太４５を介在させることで床小梁２６の高さ位置を引き下げた上で、厚さの異なる断熱材４６ａ，４６ｂを組み合わせることで床断熱材４６に凹部４６ｃを形成し、床断熱材４６と制振ダンパ６１との干渉を回避する構成としたが、根太の追加による床小梁の高さ位置の引き下げによって制振ダンパと床断熱材との干渉を回避可能である場合には上記凹部に相当する構成は省略してもよい。
【００６９】
・上記実施形態では、外壁断熱層３１を構成している壁断熱材よりも階間天井断熱層３４を構成している天井断熱材４２や階間床断熱層３５を構成している床断熱材４６の方が熱貫流率が低い（断熱性能が高い）構成としたが、壁断熱材と天井断熱材４２及び床断熱材４６との熱貫流率を同一とする構成や、壁断熱材よりも天井断熱材４２や床断熱材４６の方が熱貫流率が高い（断熱性能が低い）構成とすることも可能である。
【００７０】
・上記実施形態では、開口部１７を区画形成している区画面材５１と繋ぎ断熱層３６（余剰部分４２ａ）との間に下階ユニット２０Ａの天井小梁２５及び上階ユニット２０Ｂの床小梁２６が位置する構成としたが、区画面材５１と繋ぎ断熱層３６（余剰部分４２ａ）との間に天井小梁２５及び床小梁２６が位置しない構成とすることも可能である。
【００７１】
・上記実施形態では、建物１０の最下階床部の断熱構造として床断熱構造を用いたが、これに代えて、基礎１１の内周面に沿って断熱材を設ける基礎断熱構造を用いてもよい。また、建物１０の最上階天井部の断熱構造として天井断熱構造を用いたが、これに代えて、屋根面材に沿って断熱材を設ける屋根断熱構造を用いてもよい。
【００７２】
・ユニット式建物の階数は、複数階であれば任意である。例えば三階建て建物、四階建て建物においても本発明の適用が可能である。
【符号の説明】
【００７３】
１０…建物、１６…階間部、１７…開口部、１８…開口周囲部、２０…建物ユニット、２０Ａ…下階ユニット、２０Ｂ…下階ユニット、２１…柱、２２…天井大梁、２３…床大梁、２６…床小梁、２７…天井面材、２８…床面材、３１…外壁断熱層、３４…階間天井断熱層、３５…階間床断熱層、３６…繋ぎ断熱層、４２…天井断熱材、４２ａ…余剰部分、４５…根太、４６…床断熱材、６１…制振ダンパ、６２…ブラケット、６３…制振部材。
【図１】
2020111943.tif 000003
【図２】
2020111943.tif 000004
【図３】
2020111943.tif 000005
【図４】
2020111943.tif 000006
【図５】
2020111943.tif 000007
【図６】
2020111943.tif 000008
【図７】
2020111943.tif 000009